(57)【要約】【課題】停電時に停電内容を電子メールで停電中の需要家に配信することにある。【解決手段】データ収集装置１７が、複数の需要家３に配置されたスマートメータ５から受信している各検針データに含まれるＩＤデータに基づいて、通信エラーが発生しているスマートメータ５に係る不通ＩＤデータを収集する。停電情報管理装置２５が、データ収集装置１７により収集された不通ＩＤデータに基づいて、不通ＩＤデータにスマートメータ５が配置されている停電地域及び停電戸数を含む停電情報を付加するように編集する。公開サーバ２７が、停電情報管理装置２５により編集された不通ＩＤデータ及び停電情報に基づいて、不通ＩＤデータに対応するメールアドレスに停電情報を含む電子メールを配信する。【選択図】図１
2018132883.tif 000002
【特許請求の範囲】
【請求項１】
複数の需要家に配置されたスマートメータから受信している各検針データに含まれるＩＤデータに基づいて、通信エラーが発生しているスマートメータに係る不通ＩＤデータを収集するデータ収集装置と、
前記データ収集装置により収集された不通ＩＤデータに基づいて、前記不通ＩＤデータに前記スマートメータが配置されている停電地域及び停電戸数を含む停電情報を付加するように編集する停電情報管理装置と、
前記停電情報管理装置により編集された不通ＩＤデータ及び停電情報に基づいて、前記不通ＩＤデータに対応するメールアドレスに前記停電情報を含む電子メールを配信する公開サーバと、を備えることを特徴とする停電情報配信システム。
【請求項２】
前記データ収集装置は、前記スマートメータから定期的に受信している各検針データに含まれるＩＤデータに基づいて、前記スマートメータとの通信が通信エラーになった場合に、前記スマートメータが停電状態にあると判定して、前記スマートメータの不通ＩＤデータを収集することを特徴とする請求項１記載の停電情報配信システム。
【請求項３】
停電日時、復旧日時を前記停電情報管理装置に送信する配電自動化システムと、
対応状況、復旧見込、及び停電理由を前記停電情報管理装置に送信する営業端末と、を備え、
前記停電情報管理装置は、配電自動化システムから受信した停電日時、復旧日時、営業端末から受信した対応状況、復旧見込、及び停電理由を前記停電情報に付加するように編集することを特徴とする請求項１記載の停電情報配信システム。
【請求項４】
前記公開サーバは、前記需要家の通信端末から受信した前記スマートメータに係るＩＤデータと前記通信端末のメールアドレスを関連付けて記憶することを特徴とする請求項１記載の停電情報配信システム。
【請求項５】
前記停電情報管理装置は、前記データ収集装置により収集された不通ＩＤデータに基づいて、前記スマートメータが配置されている地域内の需要家の戸数が２以上ある場合に、当該地域内の停電戸数が１件のみであるときに、当該停電がブレーカの作動に起因している旨の停電情報を編集することを特徴とする請求項１記載の停電情報配信システム。
【発明の詳細な説明】
【技術分野】
【０００１】
本発明は、電力会社から電力の供給を受けている需要家に情報を提供する停電情報配信システムに関する。
【背景技術】
【０００２】
従来、電力会社から電力の供給を受けている需要家は、停電時にスマートフォン（内部バッテリを使用）を用いて、電力会社が開設したホームページに含まれる例えば「停電情報」ボタンを操作してアクセスすることで、県名、市名毎の停電内容として停電戸数等の概略的な情報を確認することができる。
しかし、該当する需要家（停電中）がホームページを確認しただけでは、需要家の宅内が屋内全部の停電または屋内一部の停電に起因した一般故障なのか、電力会社の送電設備に関する不具合に起因した事故停電なのかという詳細内容を確認できなかった。
【０００３】
このため、該当する需要家（停電中）は、電力会社に停電状況を電話で問い合わせを行うことができるが、オペレータが実際に応答できるまで所要時間がかかっていた。
そこで、特許文献１では、停電の発生を詳細な情報とともに速やかに顧客に通知する目的で、停電検出部および発信部を有するブレーカを備えた分電盤と、固定電話の回線を介して発信部と接続するサーバと、ネットワークを介してサーバと接続する顧客端末とからなり、停電検出部が停電を検出すると、発信部がサーバにその旨を通知する。サーバはこの通知に応じてデータベースに登録されている顧客端末に問い合わせ先などの詳細情報を記載したメールを送信する停電情報通知システムが知られている。
【先行技術文献】
【特許文献】
【０００４】
【特許文献１】特開２００７‐１０４３２１公報
【発明の概要】
【発明が解決しようとする課題】
【０００５】
上述したように、従来、需要家（停電中）が電力会社に停電内容について電話で問い合わせしても、回答が得られるまでに所要時間がかかっていた。
また、停電時に使用できない電話機の機種があるため、停電内容を確認できなくる場合もあった。また、電力会社ではホームページに停電情報を提供しているが、上述したように停電戸数の提供にとどまっている。
特許文献１にあっては、サーバは停電を検出した旨の通知に応じてデータベースに登録されている顧客端末に問い合わせ先などの詳細情報を記載したメールを送信することにとどまるため、このメールを受信した顧客端末では問い合わせ先を確認することにとどまっている。
本発明は、上記に鑑みてなされたもので、その目的は、停電時に停電内容を電子メールで停電中の需要家に配信することにある。
【課題を解決するための手段】
【０００６】
上記課題を解決するたに、請求項１記載の発明は、複数の需要家に配置されたスマートメータから受信している各検針データに含まれるＩＤデータに基づいて、通信エラーが発生しているスマートメータに係る不通ＩＤデータを収集するデータ収集装置と、前記データ収集装置により収集された不通ＩＤデータに基づいて、前記不通ＩＤデータに前記スマートメータが配置されている停電地域及び停電戸数を含む停電情報を付加するように編集する停電情報管理装置と、前記停電情報管理装置により編集された不通ＩＤデータ及び停電情報に基づいて、前記不通ＩＤデータに対応するメールアドレスに前記停電情報を含む電子メールを配信する公開サーバと、を備えることを特徴とする。
【発明の効果】
【０００７】
本発明によれば、停電時に停電内容を電子メールで停電中の需要家に配信することができる。
【図面の簡単な説明】
【０００８】
【図１】本発明の実施の形態に係る停電情報配信システムのシステム構成を示す図である。
【図２】図１に示すユーザ端末から公開サーバにメールアドレスを登録するシーケンスを示す図である。
【図３】本発明の実施の形態に係る停電情報配信システムの動作を示すシーケンス図である。
【図４】図１に示す停電情報管理装置の構成を示すブロック図である。
【図５】図１に示す営業端末の構成を示すブロック図である。
【図６】図１に示す公開サーバの構成を示すブロック図である。
【図７】図１に示すスマートメータＳＭの各状態での表示内容を示す図である。
【図８】図１に示す停電情報管理装置のホームページの表示内容を示す図である。
【図９】図１に示す停電情報管理装置のホームページの表示内容を示す図である。
【図１０】図１に示す停電情報管理装置のホームページの表示内容を示す図である。
【図１１】（ａ）（ｂ）は、図１に示すユーザ端末に表示されるメール内容を示す図（その１）である。
【図１２】図１に示すユーザ端末に表示されるメール内容を示す図（その２）である。
【図１３】図１に示す公開サーバの登録処理を示すフローチャートである。
【図１４】図１に示す停電情報管理装置の編集処理を示すフローチャートである。
【図１５】図１４に示す停電情報管理装置の編集処理を示すサブルーチンのフローチャートである。
【図１６】図１に示す公開サーバのメール生成処理及びメール配信処理を示すフローチャートである。
【発明を実施するための形態】
【０００９】
以下、本発明を図面に示した実施の形態により詳細に説明する。
本発明は、停電時に停電内容を電子メールで停電中の需要家に配信するために、以下の構成を有する。
すなわち、本発明の停電情報配信システムは、複数の需要家に配置されたスマートメータから受信している各検針データに含まれるＩＤデータに基づいて、通信エラーが発生しているスマートメータに係る不通ＩＤデータを収集するデータ収集装置と、データ収集装置により収集された不通ＩＤデータに基づいて、不通ＩＤデータにスマートメータが配置されている停電地域及び停電戸数を含む停電情報を付加するように編集する停電情報管理装置と、停電情報管理装置により編集された不通ＩＤデータ及び停電情報に基づいて、不通ＩＤデータに対応するメールアドレスに停電情報を含む電子メールを配信する公開サーバと、を備えることを特徴とする。
以上の構成を備えることにより、停電時に停電内容を電子メールで停電中の需要家に配信することができる。
上記の本発明の特徴に関して、以下、図面を用いて詳細に説明する。
【００１０】
本発明の実施形態について、図面を参照して説明する。
＜システム構成図＞
図１は、本発明の実施の形態に係る停電情報配信システムのシステム構成を示す図である。
図１に示す停電情報配信システム１は、スマートメータ（ＳＭ）５、中継装置７、集約装置９、無線基地局１１、ネットワークＮ１、通信システム１３、運用管理システム１５、データ収集装置１７、配電自動化システム２１、営業端末２３、停電情報管理装置２５、公開サーバ２７、ネットワークＮ２、ユーザ端末２９、を備えている。
スマートメータ５は、各需要家宅３に設置された自動検針器・電力メータであり、計量部と通信部とを備え、中継装置７または集約装置９との通信機能を備え、複数のスマートメータと１台の集約装置９とが１つのグループとして通信自在に接続されており、計量部が計量した指示数及び現在の使用電力量（ｋｗ）を表す検針データ（固有のＳＭＩＤを含む）をグループ内の他のスマートメータを経由して集約装置９に送信する。
【００１１】
中継装置７は、需要家宅３に設置されたスマートメータ５と集約装置９との間に配置され、スマートメータ５と集約装置９との間で検針データ（ＳＭＩＤを含む）の通信を中継する。
集約装置９は、電柱などに設置され、同グループ内の各スマートメータ５から受信した検針データ（ＳＭＩＤを含む）を収集して、データ収集サーバ４に検針データ（ＳＭＩＤを含む）を送信する。
無線基地局１１は、携帯電話基地局等により構成され、ネットワークＮ１に接続されている。
【００１２】
通信システム１３は、スマートメータ５および集約装置９の通信制御を行うＨＥＳ（Head End System）のであり、集約装置９が集約した各スマートメータ５からの複数の検針データ（ＳＭＩＤを含む）を運用管理システム１５に送信する。
運用管理システム１５は、スマートメータ５の３０分値データの保管、スマートメータ５への遠隔負荷開閉の指示等を行うＭＤＭＳ（Meter Data Management System）であり、通信システム１３からの複数のスマートメータ５の検針データ（ＳＭＩＤを含む）をデータ収集装置１７に送信する。
データ収集装置１７は、運用管理システム１５から定期的に受信している各スマートメータ５の検針データ（ＳＭＩＤを含む）を収集しており、検針データのうち通信エラー中のＳＭＩＤを抽出して、通信エラー中の不通ＳＭＩＤを停電情報管理装置２５に送信する。すなわち、データ収集装置１７は、各スマートメータから定期的に受信している検針データに含まれるＩＤデータに基づいて、各スマートメータとの通信が通信エラーになった場合に、スマートメータが停電状態にあると判定して当該スマートメータの不通ＩＤデータを収集する。
【００１３】
配電自動化システム２１は、電力会社が電力を供給する複数のエリア内において短絡事故などによって停電が発生した場合に、自動的に事故区間を特定して開閉器の開閉などを行うシステムであり、停電が発生した時刻や停電エリア（停電地区）、停電が復旧したことやその時刻などを含む停電情報を生成し、停電情報管理装置２５に送信する。
営業端末２３は、配電・流通に係る担当者が作成した停電情報連絡票に基づいて、対応状況、復旧見込、停電理由等を入力し、それらの情報を停電情報管理装置２５に送信する。
停電情報管理装置２５は、送配電網の停電情報を管理するサーバであり、配電自動化システム２１と通信自在に接続されている。停電情報管理装置２５は、配電自動化システム２１から受信した停電情報を停電ごとに時系列に記憶、管理する。停電情報管理装置２５では、停電発生日時、復旧日時、停電地域（県、市町村）、停電戸数、対応状況、復旧見込、停電理由等を記憶、管理し、公開サーバ２７に送信する。
【００１４】
公開サーバ２７は、停電情報管理装置２５から停電情報と不通ＳＭＩＤリストを受信し、それらの情報をデータベースＤＢ２７ａに記憶しておく。公開サーバ２７は、メール生成処理により不通ＳＭＩＤリストから取得したＳＭＩＤをキーとして、データベースＤＢ２７ａから当該ＳＭＩＤに対応する停電地域（県、市町村）に関するメール文書にメールアドレスを付加した電子メールを生成する。さらに、公開サーバ２７は、メール配信処理により生成された電子メールをネットワークＮ２を介してメールアドレスに含まれるドメイン名が示すメールサーバに送信することで、電子メールをユーザ端末２９に送信する。
【００１５】
＜メールアドレスの登録シーケンス＞
図２は、図１に示すユーザ端末から公開サーバにメールアドレスを登録するシーケンスを示す図である。
シーケンスＳｅ１では、ユーザ端末２９は、ブラウザに電力会社の公開サーバを宛先にしたＵＲＬ（Uniform Resource Locator）を設定して、ネットワークＮ２を介して公開サーバにアクセスしてホームページＨＰを要求する。
シーケンスＳｅ３では、公開サーバ２７は、ユーザ端末２９から受信したＨＰ要求に応じて、ＨＰ生成処理（Ｓ１）により電力会社のＨＰを生成してユーザ端末２９に送信する。
ユーザ端末２９は、公開サーバ２７から受信したＨＰに対して、マウス操作により登録ページに移行し、複数のテキストボックス、送信ボタンを表示する。ここで、各テキストボックスには、例えば、需要家宅（ユーザ）に配置されているスマートメータＳＭのＳＭＩＤ（Smart Meter Identification）、ユーザ端末２９又は携帯端末のメールアドレス、電力会社が需要家を特定するための顧客番号、需要家の住所、需要家の氏名等を入力可能である。
【００１６】
シーケンスＳｅ５では、ユーザ端末２９は、ＨＰに表示されている送信ボタンがオン操作されると、ユーザ端末２９から公開サーバ２７にＳＭＩＤ、メールアドレス、顧客番号、住所、氏名等の登録用情報を送信する。
ステップＳ３では、公開サーバ２７は、ユーザ端末２９から受信した登録用情報を、登録処理によりデータベースＤＢ２７ａへ登録することで、登録情報を更新する。なお、登録情報は、需要家が電力会社に新規に電力供給を依頼するときに、営業所のオペレータにより作成される情報である。このため、登録情報にはメールアドレスが登録されていないレコードもあるが、ＳＭＩＤ、顧客番号、及び住所はもれなく登録情報に記載されていることとする。
シーケンスＳｅ７では、公開サーバ２７は、更新処理（Ｓ３）を実行した後に、登録完了をユーザ端末２９に送信する。
表１は、公開サーバ２７のデータベースＤＢ２７ａに登録された登録情報に含まれるＳＭＩＤ、メールアドレス、顧客番号、住所、氏名を示す表である。
【００１７】
【表１】
2018132883.tif 000003
【００１８】
ユーザ端末２９は、公開サーバ２７から登録完了を受信する。
シーケンスＳｅ９では、公開サーバ２７は、データベースＤＢ２７ａから更新後の登録情報を読み出して、停電情報管理装置２５に登録情報を送信することで、登録シーケンスを終了する。
【００１９】
＜シーケンス図＞
図３は、本発明の実施の形態に係る停電情報配信システムの動作を示すシーケンス図である。
シーケンスＳｅ１１では、スマートメータＳＭ５は、電力会社の配電線から供給される使用電力量を計数した結果である検針データ（ＳＭＩＤを含む）を定期的（例えば３０分に１回）に集約装置９に送信する。
シーケンスＳｅ１３では、集約装置９は、複数のスマートメータＳＭ５からそれぞれ受信した検針データ（ＳＭＩＤを含む）を通信システム１３に送信する。
シーケンスＳｅ１５では、通信システム１３は、集約装置９が集約した各スマートメータ５からの検針データ（ＳＭＩＤを含む）を運用管理システム１５に送信する。
シーケンスＳｅ１７では、運用管理システム１５は、通信システム１３からの各スマートメータ５の検針データ（ＳＭＩＤを含む）をデータ収集装置１７に送信する。
シーケンスＳｅ１９では、データ収集装置１７は、運用管理システム１５から定期的に受信している各スマートメータ５の検針データ（ＳＭＩＤを含む）を収集し、検針データのうち通信エラー中のＳＭＩＤを抽出して、通信エラー中の不通ＳＭＩＤを停電情報管理装置２５に送信する。
【００２０】
シーケンスＳｅ２１では、配電自動化システム２１は、停電が発生した時刻や停電エリア（停電地区）、停電が復旧したことやその時刻などを含む停電情報を生成し、停電情報管理装置２５に停電情報を送信する。
シーケンスＳｅ２３では、営業端末２３は、配電・流通に係る担当者が作成した停電情報連絡票に基づいて、対応状況、復旧見込、停電理由等を入力して、停電情報管理装置２５に送信する。
シーケンスＳｅ２５では、停電情報管理装置２５では、停電発生日時、復旧日時、停電地域（県、市町村）、停電戸数、対応状況、復旧見込、停電理由等を記憶、管理し、編集処理（Ｓ１１）によりそれらの情報に基づいて、停電発生日時、復旧日時、停電地域（県、市町村）、停電戸数、対応状況、復旧見込、停電理由を含めた停電情報を生成し、公開サーバ２７に停電情報と不通ＳＭＩＤリストを送信する。
表２は、停電になったスマートメータが有するＳＭＩＤを示す不通ＳＭＩＤリストである。
【００２１】
【表２】
2018132883.tif 000004
【００２２】
公開サーバ２７は、停電情報管理装置２５から停電情報と不通ＳＭＩＤリストを受信し、それらの情報をデータベースＤＢ２７ａに記憶しておく。公開サーバ２７は、メール生成処理（Ｓ１３）により不通ＳＭＩＤリストから取得したＳＭＩＤをキーとして、データベースＤＢ２７ａから当該ＳＭＩＤに対応する停電地域（県、市町村）に関するメール文書にメールアドレスを付加した電子メールを生成する。
シーケンスＳｅ２７では、公開サーバ２７は、メール配信処理（Ｓ１５）により生成された電子メールをネットワークＮ２を介してメールアドレスに含まれるドメイン名が示すメールサーバに送信することで、電子メールをユーザ端末２９に送信する。
【００２３】
＜停電情報管理装置＞
図４は、図１に示す停電情報管理装置の構成を示すブロック図である。
図４に示す停電情報管理装置２５は、データベースＤＢ２５ａ、操作部２５ｂ、主制御部２５ｃ、第１通信部２５ｇ、第２通信部２５ｈ、第３通信部２５ｉ、第４通信部２５ｊ、表示制御部２５ｋ、表示部２５ｍ、を備えている。
データベースＤＢ２５ａは、停電情報と不通ＳＭＩＤリストを蓄積する。
操作部２５ｂは、キーボードやマウスなどを備えている。
主制御部２５ｃは、内部にＣＰＵ２５ｄ、ＨＤＤ２５ｅ、ＲＡＭ２５ｆ、を備えている。ＣＰＵ（central processing unit）２５ｄは、ＨＤＤ(hard disk drive)２５ｅからオペレーティングシステムＯＳを読み出してＲＡＭ（random access memory）２５ｆ上に展開してＯＳを起動し、ＯＳ管理下において、ＨＤＤ２５ｅからプログラム（処理モジュール）を読み出し、各種処理を実行する。
【００２４】
第１通信部２５ｇは、データ収集装置１７からネットワークＮ１を介してデータを受信するとともに、データ収集装置１７にデータを送信する。
第２通信部２５ｈは、配電自動化システム２１からネットワークを介してデータを受信するとともに、配電自動化システム２１にデータを送信する。
第３通信部２５ｉは、営業端末２３からネットワークを介してデータを受信するとともに、営業端末２３にデータを送信する。
第４通信部２５ｊは、公開サーバ２７からネットワークを介してデータを受信するとともに、公開サーバ２７にデータを送信する。
表示制御部２５ｋは、画像データをＶＲＡＭ上に描画して表示部２５ｍに表示させる。
表示部は、画像を表示する。
【００２５】
＜営業端末＞
図５は、図１に示す営業端末の構成を示すブロック図である。
図５に示す営業端末２３は、ＨＤＤ２３ａ、操作部２３ｂ、主制御部２３ｃ、通信部２３ｇ、表示制御部２３ｋ、表示部２３ｍ、を備えている。
ＨＤＤ２３ａは、入力された対応状況、復旧見込、停電理由を記憶する。
操作部２３ｂは、キーボードやマウスなどを備えている。
主制御部２３ｃ、ＣＰＵ２３ｄ、ＨＤＤ２３ｅ、ＲＡＭ２３ｆ、を備えている。ＣＰＵ（central processing unit）２３ｄは、ＨＤＤ(hard disk drive)２３ｅからオペレーティングシステムＯＳを読み出してＲＡＭ（random access memory）２３ｆ上に展開してＯＳを起動し、ＯＳ管理下において、ＨＤＤ２３ｅからプログラム（処理モジュール）を読み出し、各種処理を実行する。
通信部２３ｇは、停電情報管理装置２５からネットワークを介してデータを受信するとともに、停電情報管理装置２５にデータを送信する。
表示制御部２３ｋは、画像データをＶＲＡＭ上に描画して表示部２３ｍに表示させる。
表示部２３ｍは、画像を表示する。
【００２６】
＜公開サーバ＞
図６は、図１に示す公開サーバの構成を示すブロック図である。
図６に示す公開サーバ２７は、データベースＤＢ２７ａ、操作部２７ｂ、主制御部２７ｃ、第１通信部２７ｇ、第２通信部２７ｈ、表示制御部２３ｋ、表示部２３ｍ、を備えている。
データベースＤＢ２７ａは、停電情報管理装置２５から受信した停電情報と不通ＳＭＩＤリストを蓄積する。
操作部２７ｂは、キーボードやマウスなどを備えている。
主制御部２７ｃは、内部にＣＰＵ２７ｄ、ＨＤＤ２７ｅ、ＲＡＭ２７ｆを備えている。ＣＰＵ（central processing unit）２７ｄは、ＨＤＤ(hard disk drive)２７ｅからオペレーティングシステムＯＳを読み出してＲＡＭ（random access memory）２７ｆ上に展開してＯＳを起動し、ＯＳ管理下において、ＨＤＤ２７ｅからプログラム（処理モジュール）を読み出し、各種処理を実行する。
【００２７】
第１通信部２７ｇは、停電情報管理装置２５からネットワークを介してデータを受信するとともに、停電情報管理装置２５にデータを送信する。
第２通信部２７ｈは、ユーザ端末２９からネットワークＮ２を介してデータを受信するとともに、ユーザ端末２９にデータを送信する。
表示制御部２３ｋは、画像データをＶＲＡＭ上に描画して表示部２３ｍに表示させる。
表示部２３ｍは、画像を表示する。
【００２８】
＜各状態でのＳＭの表示内容＞
図７は、図１に示すスマートメータＳＭの各状態での表示内容を示す図である。
スマートメータＳＭ５のケースには、例えば６文字分の７セグメント表示エリアを有する計量表示器５ａ、順動作マーク５ｂ、無計量マーク５ｃ、逆動作マーク５ｄ、を有する表示部５ｍが配置されている。
図７は、スマートメータＳＭ５が順潮流計量時、無負荷時、逆潮流計量時、開閉器開放時における順潮流電力表示および逆潮流電力表示での内容を示している。
順潮流計量時においては順動作が点滅しており、無負荷時においては順・逆動作共に点灯しており、逆潮流計量時においては逆動作が点滅しており、開閉器開放時においては順・逆動作共に点滅している。
【００２９】
＜停電情報管理装置のホームページ（営業所のみ閲覧可能）＞
図８は、図１に示す停電情報管理装置のホームページの表示内容を示す図である。
停電情報管理装置２５及び営業端末２３に設けられた表示制御部のＧＵＩ機能を利用することで、ホームページ３１上のボタンに対するマウス操作を実現する。
ホームページ３１は、停電一覧照会画面（事故）を表すホームページであり、停電情報管理装置２５以外に、営業所に配置された営業端末２３のみで閲覧可能である。
ホームページ３１には、お知らせ欄３１ａ、事故停電分布図ボタン３１ｂ、事故停電一覧ボタン３１ｃ、工事停電分布図ボタン３１ｄ、工事停電一覧ボタン３１ｅ、住所別停電一覧ボタン３１ｆ、停電一覧照会画面ボタン３１ｇ、ソート条件３１ｈ、ソート順３１ｉ、日時指定３１ｊ、日付指定３１ｋ、住所検索３１ｍ、検索ボタン３１ｎ、事故停電詳細ボタン３１ｏ、検索結果欄３１ｐ、事故停電詳細ボタン３１ｒ等が表示されている。
【００３０】
＜停電情報管理装置のホームページ（営業所のみ閲覧可能）＞
図９は、図１に示す停電情報管理装置のホームページの表示内容を示す図である。
停電情報管理装置２５及び営業端末２３に設けられた表示制御部のＧＵＩ機能を利用することで、ホームページ３３上のボタンに対するマウス操作を実現する。
ホームページ３３は、取扱店選択画面（事故停電分布図）を表すホームページであり、停電情報管理装置２５以外に、営業所に配置された営業端末２３のみで閲覧可能である。
ホームページ３３には、事故停電分布図ボタン３３ａ、事故停電一覧ボタン３３ｂ、工事停電分布図ボタン３３ｃ、工事停電一覧ボタン３３ｄ、住所別停電一覧ボタン３３ｅ、最新情報表示ボタン３３ｆ、取扱店地図３３ｇ、停電中戸数ボックス３３ｈ、凡例３３ｉ等が表示されている。
【００３１】
＜停電情報管理装置のホームページ（営業所のみ閲覧可能）＞
図１０は、図１に示す停電情報管理装置のホームページの表示内容を示す図である。
停電情報管理装置２５及び営業端末２３に設けられた表示制御部のＧＵＩ機能を利用することで、ホームページ３５上のボタンに対するマウス操作を実現する。
ホームページ３５は、検索結果画面を表すホームページであり、停電情報管理装置２５以外に、営業所に配置された営業端末２３のみで閲覧可能である。
ホームページ３５には、事故停電分布図ボタン３５ａ、事故停電一覧ボタン３５ｂ、工事停電分布図ボタン３５ｃ、工事停電一覧ボタン３５ｄ、住所別停電一覧ボタン３５ｅ、停電一覧照会画面ボタン３５ｆ、表示切替ボタン３５ｇ、配電系統情報エリア３５ｈ、停電日時・停電戸数情報エリア３５ｉ、お客様公開情報エリア３５ｊ等が表示されている。
【００３２】
＜メール内容＞
図１１（ａ）（ｂ）は、図１に示すユーザ端末に表示されるメール内容を示す図（その１）である。
図１１（ａ）には、「停電情報のお知らせ」、「お客様のお住まい地域が停電しています。」「停電日時：」、「復旧予定日時：」、「停電地域・停電戸数：」、「対応状況：」、「停電理由：」が記載されている。
図１１（ｂ）には、「停電情報のお知らせ」、「お客様の屋内が停電しています。」、「停電日時：」、「対応状況：屋内」、「停電理由：宅内ブレーカが落ちています」が記載されている。
【００３３】
＜メール内容＞
図１２は、図１に示すユーザ端末に表示されるメール内容を示す図（その２）である。
図１２には、「停電情報のお知らせ」、「お客様のお住まい地域が停電しています。」、「※  停電戸数は、発生時点の（最大かつ一時的な）戸数であり、短時間で復旧した戸数も含まれております。」が記載されている。
これに加えて、図１２には、「発生日時  復旧日時」、「停電地域」として「県名」、「市区町村名」及び「地域名」、「停電理由」、「停電戸数」についての具体的な結果（編集処理による結果）が記載されている。
【００３４】
＜公開サーバの登録処理のフローチャート＞
図１３は、図１に示す公開サーバの登録処理を示すフローチャートである。
ステップＳ１０５では、公開サーバ２７は、ユーザ端末２９から要求を受信する。
ステップＳ１１０では、公開サーバ２７は、登録ホームページＨＰ要求か否かを判断する。すなわち、公開サーバ２７は、登録ＨＰ要求があった場合にステップＳ１５に進み、一方、登録ＨＰ要求がなかった場合にステップＳ５に戻る。
ステップＳ１１５では、公開サーバ２７は、ホームページＨＰを生成してユーザ端末２９に送信する。
ステップＳ１２０では、公開サーバ２７は、ユーザ端末２９からメールアドレス、ＳＭＩＤ等の登録用情報を受信する。
【００３５】
ステップＳ１２５では、公開サーバ２７は、ユーザ端末２９から受信した登録用情報をデータベースＤＢ２７ａ（表１）へ登録して、登録情報を更新する。
ステップＳ１３０では、公開サーバ２７は、ユーザ端末２９へ登録完了を送信する。
ステップＳ１３５では、公開サーバ２７は、データベースＤＢ２７ａから更新後の登録情報を読み出して、停電情報管理装置２５に登録情報を送信する。
【００３６】
＜停電情報管理装置のフローチャート＞
図１４は、図１に示す停電情報管理装置の編集処理を示すフローチャートである。
ステップＳ２０５では、停電情報管理装置２５は、データ収集装置１７から通信エラー中のＳＭ停電情報及びＳＭＩＤを受信する。
ステップＳ２１０では、停電情報管理装置２５は、通信エラー中の複数の不通ＳＭＩＤを１まとまりとした不通ＳＭＩＤリスト（表２）を生成して、データベースＤＢ２５ａへ蓄積する。
ステップＳ２１５では、停電情報管理装置２５は、少なくとも１つのデータは通信エラーか否かを判定する。停電情報管理装置２５は、少なくとも１つのデータが通信エラーになった場合はステップＳ２０５に戻る一方、通信エラーがない場合にはステップＳ２２０に進む。
【００３７】
ステップＳ２２０では、停電情報管理装置２５は、配電自動化システム２１から停電日時、復旧日時を受信する。
ステップＳ２２５では、停電情報管理装置２５は、受信したデータをデータベースＤＢ２５ａへ蓄積する。
ステップＳ２３０では、停電情報管理装置２５は、営業端末２３から対応状況、復旧見込、停電理由を受信する。
ステップＳ２３５では、停電情報管理装置２５は、受信したデータをデータベースＤＢ２５ａへ蓄積する。
ステップＳ２４０では、停電情報管理装置２５は、データベースＤＢ２５ａからデータを読み出す。
【００３８】
ステップＳ２４５では、停電情報管理装置２５は、編集処理を実行するためのサブルーチンをコールする。
ステップＳ２５０では、停電情報管理装置２５は、編集結果のデータをデータベースＤＢ２５ａへ蓄積する。
【００３９】
＜編集処理＞
図１５は、図１４に示す停電情報管理装置の編集処理を示すサブルーチンのフローチャートである。
まず、ステップＳ３０５では、停電情報管理装置２５は、不通ＳＭＩＤリストに基づいて、停電戸数のカウントを準備する（ｋ＝０、ｋｍａｘ＝ｎ、地域のカウント値＝０）。
ステップＳ３１０では、停電情報管理装置２５は、ｋ＝ｋ＋１を算出する。
ステップＳ３１５では、停電情報管理装置２５は、ｋ番目の不通ＳＭＩＤをキーとして、登録情報を検索して不通ＳＭＩＤに対応する地域を抽出し、該当する地域のカウント値をインクリメントし、停電戸数テーブルを生成する。
表３は、地域（１〜１００〜）毎の停電戸数を示す停電戸数テーブルである。
【００４０】
【表３】
2018132883.tif 000005
【００４１】
ステップＳ３２０では、停電情報管理装置２５は、ｋ番目の不通ＳＭＩＤに対応する地域についての停電情報を、停電情報テーブル上に生成する。
表４は、不通ＳＭＩＤ、地域毎の停電情報を示す停電情報テーブルであり、各レコードにはテキストが記載される。
【００４２】
【表４】
2018132883.tif 000006
【００４３】
ステップＳ３２５では、停電情報管理装置２５は、ｋ＝ｎに到達したか否かを判定する。ｋ＝ｎに到達した場合はステップＳ３３０に戻る一方、ｋ＝ｎに到達していない場合にはステップＳ３１０に戻る。
ステップＳ３３０では、停電情報管理装置２５は、停電戸数テーブル上に生成した地域のカウント値が１である場合に、当該地域の需要家の戸数が２以上あるときには、対応状況を「屋内」とし、かつ停電理由を「宅内ブレーカが落ちています」として停電情報テーブル上に生成する
表５は、不通ＳＭＩＤ毎の停電情報を示す停電情報テーブルであり、各レコードにはテキストが記載される。
【００４４】
【表５】
2018132883.tif 000007
【００４５】
＜公開サーバのフローチャート＞
図１６は、図１に示す公開サーバのメール生成処理及びメール配信処理を示すフローチャートである。
ステップＳ４０５では、公開サーバ２７は、停電情報管理装置２５から停電情報テーブル（表４、表５）を受信する。
ステップＳ４１０では、公開サーバ２７は、受信した停電情報テーブルをデータベースＤＢ２７ａへ蓄積する。
ステップＳ４１５では、公開サーバ２７は、停電情報テーブルに基づいて、メール送信を準備する。すなわち、公開サーバ２７は、代数ｋ＝０、代数ｋｍａｘ＝ｎと設定する。
【００４６】
ステップＳ４２０では、公開サーバ２７は、ｋ＝ｋ＋１を算出する。
ステップＳ４２５では、公開サーバ２７は、データベースＤＢ２７ａ上の停電情報テーブルからｋ番目のＳＭＩＤ毎の停電日時、復旧日時、停電地域、停電戸数、対応状況、復旧見込、停電理由を読み出して、ＳＭＩＤ毎の停電情報を生成する。
ステップＳ４３０では、公開サーバ２７は、データベースＤＢ２７ａ上の登録情報（表１）からＳＭＩＤ毎のメールアドレスを読み出す。
ステップＳ４３５では、公開サーバ２７は、ＳＭＩＤ毎のメールアドレスに宛ててＳＭＩＤ毎の停電情報を送信する。
ステップＳ４５０では、公開サーバ２７は、ｋ＝ｎに到達したか否かを判定する。ｋ＝ｎに到達した場合はステップＳ４０５に戻る一方、ｋ＝ｎに到達していない場合にはステップＳ４２０に戻る。
図１６に示すステップＳ４３５の処理を実行することで、図１１（ａ）に示すメール内容、図１１（ｂ）に示すメール内容、または図１２に示すメール内容がユーザ端末２９に送信される。
【００４７】
本実施の形態によれば、従来のように停電時に需要家が電力会社に電話で問い合わせをしなくても、停電した需要家のユーザ端末に電子メールで詳しい停電に関する情報を配信することができる。ＷＥＢ会員登録サービスの一つとして提供する。
この結果、停電に関する内容を含む電子メールを需要家が確認できるので、需要家が電力会社に電話で問い合わせことを低減することができる。本発明の停電情報配信システムによる効果を需要家に広く知らせることで、メールアドレスを登録する需要家を増やすことができる。
【００４８】
＜本発明の実施態様例の構成、作用、効果＞
＜第１態様＞
本態様の停電情報配信システム１は、複数の需要家３に配置されたスマートメータ５から受信している各検針データに含まれるＩＤデータに基づいて、通信エラーが発生しているスマートメータ５に係る不通ＩＤデータを収集するデータ収集装置１７と、データ収集装置１７により収集された不通ＩＤデータに基づいて、不通ＩＤデータにスマートメータ５が配置されている停電地域及び停電戸数を含む停電情報を付加するように編集する停電情報管理装置２５と、停電情報管理装置２５により編集された不通ＩＤデータ及び停電情報に基づいて、不通ＩＤデータに対応するメールアドレスに停電情報を含む電子メールを配信する公開サーバ２７と、を備えることを特徴とする。
本態様によれば、複数の需要家３に配置されたスマートメータ５から受信している各検針データに含まれるＩＤデータに基づいて、通信エラーが発生しているスマートメータ５に係る不通ＩＤデータを収集し、収集された不通ＩＤデータに基づいて、不通ＩＤデータにスマートメータ５が配置されている停電地域及び停電戸数を含む停電情報を付加するように編集し、編集された不通ＩＤデータ及び停電情報に基づいて、不通ＩＤデータに対応するメールアドレスに停電情報を含む電子メールを配信することで、停電時に停電内容を電子メールで停電中の需要家に配信することができる。
【００４９】
＜第２態様＞
本態様のデータ収集装置１７は、スマートメータ５から定期的に受信している各検針データに含まれるＩＤデータに基づいて、スマートメータ５との通信が通信エラーになった場合に、スマートメータ５が停電状態にあると判定して、スマートメータ５の不通ＩＤデータを収集することを特徴とする。
本態様によれば、スマートメータ５から定期的に受信している各検針データに含まれるＩＤデータに基づいて、スマートメータ５との通信が通信エラーになった場合に、スマートメータ５が停電状態にあると判定して、スマートメータ５の不通ＩＤデータを収集するので、停電状態にあるスマートメータ５の不通ＩＤデータを収集することができる。
【００５０】
＜第３態様＞
本態様の停電情報配信システム１は、停電日時、復旧日時を停電情報管理装置２５に送信する配電自動化システム２１と、対応状況、復旧見込、及び停電理由を停電情報管理装置２５に送信する営業端末２３と、を備え、停電情報管理装置２５は、配電自動化システム２１から受信した停電・復旧日時、営業端末から受信した対応状況、復旧見込、及び停電理由を停電情報に付加するように編集することを特徴とする。
本態様によれば、停電情報管理装置２５は、配電自動化システム２１から受信した停電日時、復旧日時、営業端末から受信した対応状況、復旧見込、及び停電理由を停電情報に付加するように編集するので、停電日時、復旧日時、対応状況、復旧見込、及び停電理由を有する停電情報を電子メールで停電中の需要家に配信することができる。
【００５１】
＜第４態様＞
本態様の公開サーバ２７は、需要家３のユーザ端末２９から受信したスマートメータ５に係るＩＤデータとユーザ端末２９のメールアドレスを関連付けて記憶することを特徴とする。
本態様によれば、需要家３のユーザ端末２９から受信したスマートメータ５に係るＩＤデータとユーザ端末２９のメールアドレスを関連付けて記憶するので、停電時に不通になったＩＤデータに対応するユーザ端末２９のメールアドレスに電子メールを配信することができる。
【００５２】
＜第５態様＞
本態様の停電情報管理装置２５は、データ収集装置１７により収集された不通ＩＤデータに基づいて、スマートメータ５が配置されている地域内の需要家３の戸数が２以上ある場合に、当該地域内の停電戸数が１件のみであるときに、当該停電がブレーカの作動に起因している旨の停電情報を編集することを特徴とする。
本態様によれば、データ収集装置１７により収集された不通ＩＤデータに基づいて、スマートメータ５が配置されている地域内の需要家３の戸数が２以上ある場合に、当該地域内の停電戸数が１件のみであるときに、当該停電がブレーカの作動に起因している旨の停電情報を編集することで、停電情報により当該停電がブレーカの作動に起因していることを報知することができる。
【符号の説明】
【００５３】
１…停電情報配信システム、３…需要家宅、５…スマートメータ、７…中継装置、９…集約装置、１１…無線基地局、１３…通信システム、１５…運用管理システム、１７…データ収集装置、２１…配電自動化システム、２３…営業端末、２５…停電情報管理装置、２７…公開サーバ、２９…ユーザ端末
【図１】
2018132883.tif 000008
【図２】
2018132883.tif 000009
【図３】
2018132883.tif 000010
【図４】
2018132883.tif 000011
【図５】
2018132883.tif 000012
【図６】
2018132883.tif 000013
【図７】
2018132883.tif 000014
【図８】
2018132883.tif 000015
【図９】
2018132883.tif 000016
【図１０】
2018132883.tif 000017
【図１１】
2018132883.tif 000018
【図１２】
2018132883.tif 000019
【図１３】
2018132883.tif 000020
【図１４】
2018132883.tif 000021
【図１５】
2018132883.tif 000022
【図１６】
2018132883.tif 000023